(57)【特許請求の範囲】
【請求項１】
少なくとも１つの第１の基地局と、
第２の基地局と、
制御手段と、
を備え、 
前記第１の基地局は、自身が形成する第１のセルに関する無線パラメータ及び自身が測定した前記第２の基地局が形成する第２のセルに関する無線パラメータのうち少なくとも一方を含む第１の情報を送信し、
前記制御手段は、少なくとも１つの前記第１の基地局から前記第１の情報を受領し、受領した前記第１の情報に基づいて、前記少なくとも１つの第１の基地局のうち、前記第２の基地局に接続する移動局による測定対象とされる第１の基地局を決定する、
移動通信システム。
【請求項２】
前記制御手段は、前記第２の基地局に接続する移動局によって測定された、前記第１の基地局から到達する無線信号の測定結果を受領し、受領した前記測定結果に基づいて、前記測定対象とされた第１の基地局に対して前記第１のセルの調整を指示する、
請求項１に記載の移動通信システム。
【請求項３】
前記制御手段は、前記測定対象に決定された第１の基地局が使用する無線リソースを特定可能な情報を含む測定要求を前記移動局に送信する、
請求項１又は２に記載の移動通信システム。
【請求項４】
前記移動局は、前記測定要求に基づいて特定される第１の基地局から到達するダウンリンク信号を測定する、
請求項３に記載の移動通信システム。
【請求項５】
前記測定要求は、前記第１のセルで使用される無線周波数を示す情報と前記第１のセルの識別情報のうち少なくとも一方をさらに含む、
請求項３又は４に記載の移動通信システム。
【請求項６】
前記第１のセルに関する無線パラメータは、前記第１の基地局によるダウンリンク信号の送信電力を含む、
請求項１〜５のいずれか１項に記載の移動通信システム。
【請求項７】
前記第１のセルに関する無線パラメータは、前記第１の基地局が移動局から受信するアップリンク信号の干渉レベルを含む、
請求項１〜６のいずれか１項に記載の移動通信システム。
【請求項８】
前記第２のセルに関する無線パラメータは、前記第２の基地局から送信されるダウンリンク信号の受信電力を含む、
請求項１〜７のいずれか１項に記載の移動通信システム。
【請求項９】
前記第２のセルに関する無線パラメータは、前記第２の基地局から送信されるダウンリンク信号の受信可否を含む、
請求項１〜８のいずれか１項に記載の移動通信システム。
【請求項１０】
前記第１の情報は、前記第１の基地局を管理する管理装置を経由して前記制御手段に到達する、
請求項１〜９のいずれか１項に記載の移動通信システム。
【請求項１１】
前記制御手段は、前記第２の基地局に接続する少なくとも１つの移動局の位置情報を、前記第１の基地局の位置情報と照合することで、前記測定要求の送信先移動局を決定する、
請求項３に記載の移動通信システム。
【請求項１２】
前記少なくとも１つの第１の基地局及び前記第２の基地局は上位ネットワークに接続され、
前記制御手段は、前記上位ネットワークに配置される、
請求項１〜１１のいずれか１項に記載の移動通信システム。
【請求項１３】
前記第１の基地局は、ユーザによって管理される基地局である、
請求項１〜１２のいずれか１項に記載の移動通信システム。
【請求項１４】
少なくとも１つの第１の基地局から第１の情報を受領し、受領した前記第１の情報に基づいて、前記少なくとも１つの第１の基地局のうち、第２の基地局に接続する移動局による測定対象とされる第１の基地局を決定する制御手段を備え、
前記第１の情報は、前記第１の情報の送信元基地局が形成する第１のセルに関する無線パラメータ及び前記送信元基地局が測定した前記第２の基地局が形成する第２のセルに関する無線パラメータのうち少なくとも一方を含む、
制御装置。
【請求項１５】
前記制御手段は、前記第２の基地局に接続する移動局によって測定された、前記第１の基地局から到達する無線信号の測定結果を受領し、受領した前記測定結果に基づいて、前記測定対象とされた第１の基地局に対して前記第１のセルの調整を指示する、
請求項１４に記載の制御装置。
【請求項１６】
前記制御手段は、前記測定対象に決定された第１の基地局が使用する無線リソースを特定可能な情報を含む測定要求を前記移動局に送信する、
請求項１４又は１５に記載の制御装置。
【請求項１７】
前記第１の情報は、前記第１のセルで使用される無線周波数を示す情報と前記第１のセルの識別情報のうち少なくとも一方をさらに含む、
請求項１４〜１６のいずれか１項に記載の制御装置。
【請求項１８】
前記第１のセルに関する無線パラメータは、前記第１の基地局によるダウンリンク信号の送信電力、及び前記第１の基地局が移動局から受信するアップリンク信号の干渉レベルのうち少なくとも１つを含む、
請求項１４〜１７のいずれか１項に記載の制御装置。
【請求項１９】
前記第２のセルに関する無線パラメータは、前記第２の基地局から送信されるダウンリンク信号の受信電力、及び前記第２の基地局から送信されるダウンリンク信号の受信可否のうち少なくとも１つを含む、
請求項１４〜１８のいずれか１項に記載の制御装置。
【請求項２０】
前記第１の情報は、前記第１の基地局を管理する管理装置を経由して前記制御装置に到達する、
請求項１４〜１９のいずれか１項に記載の制御装置。
【請求項２１】
前記制御手段は、前記第２の基地局に接続する少なくとも１つの移動局の位置情報を、前記第１の基地局の位置情報と照合することで、前記測定要求の送信先移動局を決定する、
請求項１６に記載の制御装置。
【請求項２２】
前記少なくとも１つの第１の基地局及び前記第２の基地局は上位ネットワークに接続され、
前記制御装置は、前記上位ネットワークに配置される、
請求項１４〜２１のいずれか１項に記載の制御装置。
【請求項２３】
少なくとも１つの第１の基地局から第１の情報を受領し、受領した前記第１の情報に基づいて、前記少なくとも１つの第１の基地局のうち、第２の基地局に接続する移動局による測定対象とされる第１の基地局を決定することを備え、
前記第１の情報は、前記第１の情報の送信元基地局が形成する第１のセルに関する無線パラメータ及び前記送信元基地局が測定した前記第２の基地局が形成する第２のセルに関する無線パラメータのうち少なくとも一方を含む、
制御装置の制御方法。
【請求項２４】
少なくとも１つの第１の基地局から第１の情報を受領し、受領した前記第１の情報に基づいて、前記少なくとも１つの第１の基地局のうち、第２の基地局に接続する移動局による測定対象とされる第１の基地局を決定する処理をコンピュータに実行させるプログラムであって、
前記第１の情報は、前記第１の情報の送信元基地局が形成する第１のセルに関する無線パラメータ及び前記送信元基地局が測定した前記第２の基地局が形成する第２のセルに関する無線パラメータのうち少なくとも一方を含む、
プログラム。
【発明の詳細な説明】
【技術分野】
【０００１】
本発明は、ホーム基地局を含む移動通信システムに関し、特に、ホーム基地局又はホーム基地局が形成するセルのコンフィグレーションに関する。
【背景技術】
【０００２】
3GPP （Third Generation Partnership Project）等の標準化機関では、利用者宅内、オフィス内などに設置可能な小型基地局の標準化が進められている。この小型基地局は、ユーザによって宅内や小規模オフィス等に設置され、ADSL（Asymmetric Digital Subscriber Line）や光ファイバ回線等のアクセス回線を通じてコアネットワークに接続される。このような小型基地局は、一般的に、フェムト基地局、フェムトセル基地局、又はホーム基地局と呼ばれている。また、小型基地局が形成するセルのサイズ（カバーエリア）は、従来のマクロセルに比べて極めて小さい。このため、小型基地局が形成するセルは、フェムトセル又はホームセル等と呼ばれている。3GPPは、このような小型基地局を Home Node B（HNB）及び Home evolved Node B（HeNB）と定義して標準化作業を進めている。HNBはUTRAN （UMTS (Universal Mobile Telecommunications System) Terrestrial Radio Access Network）向けの小型基地局であり、HeNBはLTE（Long Term Evolution）/ E-UTRAN (Evolved UTRAN) 向けの小型基地局である。
【０００３】
本明細書では、上述したような小型基地局を「ホーム基地局」と呼び、ホーム基地局によって形成されるセルを「ホームセル」と呼ぶ。なお、3GPPで検討されているUTRAN、E-UTRAN向けのホーム基地局を指す場合には、3GPPでの呼称にならって、HNB若しくはHeNB、又はこれらを総称してH(e)NBと呼ぶ。また、H(e)NBによって形成されるホームセルを、「H(e)NBセル」と呼ぶ。
【０００４】
3GPP Release 8では、H(e)NBは、ユーザによって管理される基地局として標準化されている（非特許文献１を参照）。しかしながら、ユーザが、H(e)NB及びH(e)NBセルのコンフィグレーション（無線周波数、スクランブリングコード／フィジカルセルID、ダウンリンク送信電力等）を適切に設定することは難しい。このため、H(e)NBセルのコンフィグレーションが適切に行われていないことに起因して、M(e)NBセルとH(e)NBセルとの干渉問題が発生することが懸念されている。ここで、M(e)NBセルとは、M(e)NB（マクロNodeB又はマクロeNodeB）が生成するマクロセルである。
【０００５】
H(e)NBセルとM(e)NBセルとの干渉を抑制するため、H(e)NBは、H(e)NBセルを自律的に設定する機能（セルフコンフィグレーション、オートコンフィグレーション等と呼ばれる）を持つことが検討されている。ここで、無線パラメータとは、H(e)NBセルの無線通信特性を規定するパラメータであって、具体的には、周波数帯域、スクランブリングコード、パイロット信号（CPICH：Common Pilot Channel）の送信電力、移動局によるアップリンク送信電力の最大値等である。また、自律的なセルフコンフィグレーションを行うために、H(e)NBが周辺のM(e)NBセルからのダウンリンク信号を受信する機能（Network Listen Mode、Radio Environment Measurement等と呼ばれる）を持つことも検討されている。H(e)NBは、M(e)NBセルからの無線信号を測定し、測定結果を用いてH(e)NBセルの無線パラメータを最適化する。
【０００６】
M(e)NBセルとH(e)NBセルとの干渉を抑制する他の解決手法として、ネットワークオペレータが管理するRNC（Radio Network Controller）等の制御装置からH(e)NBに対して、H(e)NBセルのコンフィグレーション情報を送信することが提案されている（非特許文献２を参照）。H(e)NBは、受信したコンフィグレーション情報に基づいてH(e)NBセルの無線パラメータを調整する。この解決手法は、上述したセルフコンフィグレーションと併用することが想定されている。セルフコンフィグレーションは、H(e)NBのセットアップ時に行われることが想定されるため、H(e)NBセルの設定がその後の周辺環境の変化に適切に追随できないおそれがある。したがって、H(e)NBセルが適切に設定されていない場合には、上位ネットワーク側からH(e)NBにコンフィグレーション情報を供給することによって、H(e)NBセルの再コンフィグレーションを促すことが必要となる。
【０００７】
さらに、上述した他の解決方法では、H(e)NBセルの無線パラメータをより適切に設定するため、M(e)NBセルに接続する移動局（以下、MUE（Macro User Equipment）と呼ぶ）によるH(e)NBセルの測定結果を利用することも検討されている。図１８は、UTRANのHNB７にRNC９からコンフィグレーション情報を供給する場合を示している。MUE８は、MNB６が形成するMNBセル１２に接続している。MUE８は、HNBセル１１からのダウンリンク信号を測定し、RNC９に測定報告（MEASUREMENT REPORT）を送信する。RNC９は、MNB６及びMNBセル１２を管理するRNCである。RNC9は、MUE８によるHNBセル１１の測定結果に基づいて、HNBセル１１に関するコンフィグレーション情報（CFG）を生成し、これをHNB７に供給する。HNB７は、RNC9から受け取ったコンフィグレーション情報に従って、HNBセル１１の無線パラメータを調整する。
【先行技術文献】
【非特許文献】
【０００８】
【非特許文献１】3GPP TR 25.820 v8.2.0 (2008-09)、"3G Home Node B (HNB) study item Technical Report"
【非特許文献２】3GPP寄書、R3-091894 "Study on Enhanced Interference Management Mechanisms for HNB"、 [online]、3GPP、[平成21年9月19日検索]、インターネット＜URL：http://www.3gpp.org/ftp/tsg_ran/WG3_Iu/TSGR3_65/Docs/R3-091894.zip＞
【発明の概要】
【発明が解決しようとする課題】
【０００９】
図１８に示したようにMUEによるHNBセルの測定結果に基づいてHNBセルのコンフィグレーションを行う場合には、MUEがどのHNBセルを測定すべきかを決定することが困難という問題がある。HNBセルに対して使用が許可された全ての無線リソースに亘ってMUEが数多くのHNBセルを測定したのでは、MUEの通信性能の劣化や消費電力の増大を招くおそれがある。このため、HNB独自のセルフコンフィグレーションでは適切に設定されていないH(e)NBセルを選択し、MUEによる測定は選択されたH(e)NBセルに対して限定的に行えることが望ましい。
【００１０】
本発明は上述の問題点に対処するためになされたものである。本発明の目的の１つは、H(e)NB等のホーム基地局に対して供給されるコンフィグレーション情報を生成するためにマクロセルに在圏する移動局によるホームセルの測定結果を利用するアーキテクチャにおいて、移動局の通信性能劣化及び消費電力増大の抑制に寄与することが可能な移動通信システム、基地局装置、制御装置、制御方法、及びプログラムを提供することである。
【課題を解決するための手段】
【００１１】
本発明の第１の態様にかかる移動通信システムは、少なくとも１つの第１の基地局、第２の基地局、及び制御部を有する。前記第１の基地局は、自身が形成する第１のセルに関する無線パラメータ及び自身が測定した前記第２の基地局が形成する第２のセルに関する無線パラメータのうち少なくとも一方を含む第１の情報を送信できるよう構成されている。また、前記制御部は、前記第２の基地局に接続する移動局に対して前記第１の基地局から到達する無線信号の測定を指示し、前記移動局による測定結果を受領する。さらに、前記制御部は、各第１の基地局から前記第１の情報を受領し、前記少なくとも１つの第１の基地局のうち前記移動局による測定対象とされる第１の基地局を決定する。
【００１２】
本発明の第２の態様は、基地局装置に関する。当該基地局装置は、無線通信部、上位ネットワーク通信部、及びコンフィグレーション制御部を有する。前記無線通信部は、第１のセルにおいて移動局との間で無線通信を行う。前記上位ネットワーク通信部は、上位ネットワークとの間で通信可能である。前記コンフィグレーション制御部は、前記第１のセルに関する無線パラメータ及び周辺の基地局が形成する第２のセルに関する無線パラメータのうち少なくとも一方を含む第１の情報を前記上位ネットワークに送信可能である。
【００１３】
本発明の第３の態様は、少なくとも１つの第１の基地局から到達する無線信号の測定を第２の基地局に接続する移動局に対して指示し、前記移動局による測定結果を受領する制御装置に関する。当該制御装置は前記少なくとも１つの第１の基地局の各々から第１の情報を受領し、前記少なくとも１つの第１の基地局のうち前記移動局による測定対象とされる第１の基地局を決定する制御部を有する。ここで、前記第１の情報は、前記第１の情報の送信元基地局が形成する第１のセルに関する無線パラメータ及び前記送信元基地局が測定した前記第２の基地局が形成する第２のセルに関する無線パラメータのうち少なくとも一方を含む。
【００１４】
本発明の第４の態様は、第１のセルにおいて移動局との間で無線通信を行う基地局の制御方法に関する。当該方法は、前記第１のセルに関する無線パラメータ及び周辺の基地局が形成する第２のセルに関する無線パラメータのうち少なくとも一方を含む第１の情報を前記上位ネットワークに送信することを含む。
【００１５】
本発明の第５の態様は、少なくとも１つの第１の基地局から到達する無線信号の測定を第２の基地局に接続する移動局に対して指示し、前記移動局による測定結果を受領する制御装置の制御方法に関する。当該方法は、前記少なくとも１つの第１の基地局の各々から第１の情報を受領し、前記少なくとも１つの第１の基地局のうち前記移動局による測定対象とされる第１の基地局を決定することを含む。ここで、前記第１の情報は、前記第１の情報の送信元基地局が形成する第１のセルに関する無線パラメータ及び前記送信元基地局が測定した前記第２の基地局が形成する第２のセルに関する無線パラメータのうち少なくとも一方を含む。
【００１６】
本発明の第６の態様は、基地局に関する処理をコンピュータに実行させるプログラムに関する。前記基地局は、第１のセルにおいて移動局との間で無線通信を行う無線通信部と、上位ネットワークとの間で通信可能な上位ネットワーク通信部とを有する。当該プログラムに基づいてコンピュータが行う前記処理は、前記第１のセルに関する無線パラメータ及び周辺の基地局が形成する第２のセルに関する無線パラメータのうち少なくとも一方を含む第１の情報を、前記上位ネットワーク通信部を介して前記上位ネットワークに送信すること、を含む。
【００１７】
本発明の第７の態様は第１の基地局から到達する無線信号の測定を第２の基地局に接続する移動局に対して指示し、前記移動局による測定結果を受領する処理をコンピュータに実行させるプログラムに関する。当該プログラムに基づいてコンピュータが行う前記処理は、前記少なくとも１つの第１の基地局の各々から第１の情報を受領し、前記少なくとも１つの第１の基地局のうち前記移動局による測定対象とされる第１の基地局を決定することを含む。ここで、前記第１の情報は、前記第１の情報の送信元基地局が形成する第１のセルに関する無線パラメータ及び前記送信元基地局が測定した前記第２の基地局が形成する第２のセルに関する無線パラメータのうち少なくとも一方を含む。
【発明の効果】
【００１８】
上述した本発明の各態様によれば、ホーム基地局に対して供給されるコンフィグレーション情報を生成するためにマクロセルに在圏する移動局によるホームセルの測定結果を利用するアーキテクチャにおいて、移動局の通信性能劣化及び消費電力増大の抑制に寄与することが可能な移動通信システム、基地局装置、制御装置、制御方法、及びプログラムを提供することができる。
【図面の簡単な説明】
【００１９】
【図１】本発明の第１の実施の形態にかかる移動通信システムのネットワーク構成例を示す図である。
【図２】発明の第１の実施の形態にかかる移動通信システムのネットワーク構成例（UTRANの場合）を示す図である。
【図３】本発明の第１の実施の形態にかかる移動通信システムのネットワーク構成例（LTE/E-UTRANの場合）を示す図である。
【図４】本発明の第１の実施の形態にかかる移動通信システムのネットワーク構成例（UTRANの場合）を示す図である。
【図５】本発明の第２の実施の形態にかかる移動通信システムのネットワーク構成例（UTRANの場合）を示す図である。
【図６】本発明の第２の実施の形態にかかる移動通信システムにおけるコンフィグレーション情報の供給手順を示すシーケンス図である。
【図７】本発明の第２の実施の形態におけるホーム基地局の構成例を示すブロック図である。
【図８】本発明の第２の実施の形態にかかる移動通信システムにおけるRNCの構成例を示すブロック図である。
【図９】本発明の第２の実施の形態における移動局の構成例を示すブロック図である。
【図１０】本発明の第２の実施の形態におけるホーム基地局の動作手順の具体例を示すフローチャートである。
【図１１】本発明の第２の実施の形態におけるRNCの動作手順の具体例を示すフローチャートである。
【図１２】本発明の第２の実施の形態における移動局の動作手順の具体例を示すフローチャートである。
【図１３】本発明の第３の実施の形態にかかる移動通信システムのネットワーク構成例（UTRANの場合）を示す図である。
【図１４】本発明の第３の実施の形態にかかる移動通信システムにおけるコンフィグレーション情報の供給手順を示すシーケンス図である。
【図１５】本発明の第３の実施の形態におけるホーム基地局の動作手順の具体例を示すフローチャートである。
【図１６】本発明の第３の実施の形態におけるRNCの動作手順の具体例を示すフローチャートである。
【図１７】本発明の第４の実施の形態にかかる移動通信システムにおけるコンフィグレーション情報の供給手順を示すシーケンス図である。
【図１８】背景技術にかかる移動通信システムの構成例を示す図である。
【発明を実施するための形態】
【００２０】
以下では、本発明を適用した具体的な実施の形態について、図面を参照しながら詳細に説明する。各図面において、同一要素には同一の符号が付されており、説明の明確化のため、必要に応じて重複説明は省略される。
【００２１】
＜第１の実施の形態＞
図１は、本発明の第１の実施の形態にかかる移動通信ステムのネットワーク構成例を示す図である。なお、図１では、説明の簡略化のためにホーム基地局１を１つのみ図示しているが、複数のホーム基地局がマクロセル１２内に配置される形態が一般的である。また、ホームセル１１に接続する移動局（不図示）及びマクロセル１２に接続する移動局８も複数台存在する形態が一般的である。
【００２２】
ホーム基地局１は、移動局との間で双方向の無線通信を行う。また、ホーム基地局１は、ネットワークオペレータ（移動体通信事業者）のコアネットワークを含む上位ネットワーク（不図示）に接続されており、移動局と上位ネットワークとの間でトラフィックを中継する。ホームセル１１は、ホーム基地局１によって形成されるセルである。ホーム基地局１は、後述する制御装置５から受信したコンフィグレーション情報（CFG）に従ってホームセル１１の無線パラメータを調整する。ここで調整される無線パラメータは、ホームセル１１で使用する周波数帯域、スクランブリングコード、ダウンリンク信号の送信電力、移動局によるアップリンク送信電力の最大値などである。
【００２３】
マクロ基地局６は、ホームセル１１に比べてセルサイズの大きいマクロセル１２を形成し、移動局（MUE）８との間で双方向の無線通信を行う。マクロ基地局６も、上位ネットワーク（不図示）に接続されており、MUE８と上位ネットワークとの間でトラフィックを中継する。
【００２４】
制御装置５は、MUE８に対して測定要求（MEASUREMENT REQUEST）を送信することによって、ホームセル１１から到達するダウンリンク信号の測定をMUE８に指示する。制御装置５は、ホームセル１１の測定結果を含む測定報告（MEASUREMENT REPORT）をMUE８から受信する。制御装置５は、MUE８からの測定報告に基づいてホームセル１１のコンフィグレーション情報（CFG）を生成し、これをホーム基地局１に送信する。
【００２５】
さらに、本実施の形態にかかるホーム基地局１及び制御装置５は、MUE８が測定を行うべきホームセル１１の選択を可能とするため、以下に述べる動作を行う。ホーム基地局１は、「セル情報」を制御装置５に送る。制御装置５は、受信したセル情報に基づいて、複数のホームセル１１のうちMUE８による測定対象とすべき少なくとも１つのセルを決定する。そして、制御装置５は、測定対象とされたホームセル１１を特定可能な情報を含む測定要求をMUE８に送信する。これにより、MUE８は、測定対象のホームセル１１が使用する無線リソースに限定して測定を行うことができる。したがって、MUE８の通信性能劣化及び消費電力増大を抑制できる。
【００２６】
なお、制御装置５は、無線設定が適切に行われていないことが疑われるホームセル１１（ホーム基地局１）を判定し、このセルをMUE８による測定対象として選択すればよい。このため、ホーム基地局１から制御装置５に送られるセル情報は、ホームセル１１とマクロセル１２の間における干渉レベルの判定に利用可能な情報を含んでいればよい。
【００２７】
具体的に述べると、ホーム基地局１から制御装置５に送られるセル情報は、「ホームセル１１の情報」又は「マクロセル１２の測定情報」のうち少なくとも一方を含んでいればよい。ここで、ホームセル１１の情報は、ホームセル１１に関する無線パラメータ（ホーム基地局１からのダウンリンク信号の送信電力、ホーム基地局１におけるアップリンク信号の干渉レベルなど）を含む。また、マクロセル１２の測定情報は、ホーム基地局１によって測定されたマクロセル１２に関する無線パラメータ（マクロセル１２からのダウンリンク信号の受信電力、マクロセル１２からのダウンリンク信号の受信可否など）を含む。
【００２８】
ところで、制御装置５の配置は、ネットワークアーキテクチャの設計思想に基づいて適宜決定されるものである。例えば、本実施の形態の移動通信システムがUMTSである場合、図２に示すように、制御装置５の機能をRNC１５２に配置してもよい。図２は、本実施の形態にかかる移動通信システムをUMTSに適用した場合の構成例を示す図である。図２の例では、ホーム基地局（HNB）１は、IP（Internet Protocol）ネットワーク１５３及びHNB-GW１５１を介してコアネットワーク１５０に接続されている。また、マクロ基地局（MNB）６は、RNC１５２を介してコアネットワーク１５０に接続されている。HNB-GW１５１は、コアネットワーク１５０とホーム基地局（HNB）１の間に配置され、これらの間でユーザデータ及びCFG2を含む制御データを中継する。RNC１５２は、コアネットワーク１５０とNMB６の間に配置され、これらの間でユーザデータ及び制御データを中継する。また、RNC１５２は、マクロセル１２の無線リソース管理、マクロセル１２に在圏する移動局８−２のセル間移動の制御を行う。
【００２９】
また、本実施の形態の移動通信システムがEPS（Evolved Packet System）である場合、図３に示すように、制御装置５の機能をマクロ基地局（マクロeNB（MeNB））６と一体的に配置してもよい。図３は、EPSに適用した場合の本実施の形態にかかる移動通信システムの構成例を示す図である。
【００３０】
また、図４に示すように、コアネットワーク１５０内の管理サーバ１５４に制御装置５の機能を配置してもよい。図４は、UMTSの場合を示しているが、EPS等の他の移動通信システムの場合も同様である。
【００３１】
また、制御装置５が有する機能は、移動通信システム内に分離して内に配置されてもよい。例えば、図４の例において、HNB１からのセル情報の受信およびコンフィグレーション情報の生成機能を管理サーバ１５４に配置し、MUE８への測定要求の送信および測定報告の受信機能をRNC１５２に配置してもよい。
【００３２】
以下の第２〜第４の実施の形態では、MUE８による測定対象とされるホームセル１１（ホーム基地局１）の選択手法の具体例について詳しく説明する。なお、第２〜第４の実施の形態ではUMTS/UTRANの場合について具体的に説明するが、EPS（Evolved Packet System）/E-UTRAN等の他のシステムにもこれらの実施の形態を適用可能であることは勿論である。
【００３３】
＜第２の実施の形態＞
本実施の形態にかかる移動通信システムの構成例を図５に示す。本実施の形態では、ホーム基地局（HNB）２は、ホームセル（HNBセル）１１の情報を含む「HNBセル情報」をRNC２５２に送信する、また、RNC２５２は、上述した制御装置５の動作を実行する。以下では、図６を参照して、本実施の形態の動作を説明する。
【００３４】
図６は、本実施の形態におけるHNB２へのコンフィグレーション情報の供給手順を示すシーケンス図である。ステップＳ１０１では、HNB２は、ホームセル１１の情報を含む「HNBセル情報」をRNC２５２に送信する。HNBセル情報に含まれる無線パラメータの具体例は、HNB２からのダウンリンク信号の送信電力、HNB２が受信するアップリンク信号の干渉レベル等である。このうち、HNB２からのダウンリンク信号の送信電力は、HNBセル１１からMUE８への干渉の評価に使用できる。HNB２の送信電力が大きい場合、MNB６からマクロセル（MNBセル）１２に属する移動局（MUE８等）に到達するダウンリンク信号への干渉要因となるためである。一方、HNB２が受信するアップリンク信号の干渉レベルは、MUE８からHNBセル１１への干渉の評価に使用できる。
【００３５】
ステップＳ１０２では、RNC２５２は、HNB２から受信したHNBセル情報に基づいて、MUE８による測定対象とすべきHNBセル１１（HNB２）を決定する。例えば、HNBセル情報が「HNB２からのダウンリンク信号の送信電力」を含む場合、送信電力が所定の基準値を超えている場合に当該HNBセル１１を測定対象とすればよい。この場合には、HNBセル１１から周辺セル（MNBセル１２を含む）に対して許容範囲を超える干渉が生じているおそれがあるためである。また、HNBセル情報が「HNB２が受信するアップリンク信号の干渉レベル」を含む場合、HNB２が受けている干渉レベルが所定の基準値を超えている場合に当該HNBセル１１を測定対象とすればよい。この場合には、周辺セル（MNBセル１２を含む）からHNBセル１１に対して許容範囲を超える干渉が生じているおそれがあるためである。
【００３６】
ステップＳ１０３では、RNC２５２は、測定対象に選んだHNBセル１１（又はHNB２）の指定を含むHNBセル測定要求をMUE８に送信する。この要求は、例えば、RRC（Radio Resource Control）メッセージの１つである"Measurement Control"を用いて送信すればよい。測定対象HNBの指定は、HNBセルの無線周波数、スクランブリングコード、セルIDのうち少なくとも１つを用いて行えばよい。また、HNBセル測定要求は、HNBセルの測定のためにMNB６からの送信が停止される期間を示す情報を含んでもよい。これにより、MUE８は、MNB６からのダウンリンク信号の影響を除いた正確な測定を行うことができる。
【００３７】
なお、RNC２５２は、測定対象のHNB２の近傍に位置するMUE８を選択して測定要求を送信するとよい。HNB２及びMUE８の位置判定にはGPS（Global Positioning System）を利用すればよい。具体的には、HNB２及びMUE８にGPS（Global Positioning System）受信機を持たせ、コアネットワーク１５０に配置されたサーバ（不図示）又はRNC２５２においてHNB２及びMUE８の位置情報を収集すればよい。そして、HNB２の位置情報とMUE８の位置情報を照合することによって、測定対象のHNB２の近傍に位置するMUE８を選択すればよい。
【００３８】
図６に戻り説明を続ける。ステップＳ１０４では、MUE８は、HNBセル測定要求で指定されたHNB２からのダウンリンク信号の測定を行う。ステップＳ１０５では、MUE８は、HNBセル１１の測定結果をRNC２５２に報告する。この測定報告は、例えば、RRC（Radio Resource Control）メッセージの１つである"Measurement Report"を用いて行えばよい。
【００３９】
ステップＳ１０６では、RNC２５２は、HNBセル測定報告に基づいて、測定対象とされたHNB２に送信するコンフィグレーション情報（CFG）を生成する。具体的には、HNBセル１１からMNBセル１２への干渉が大き過ぎる場合には、HNB２のダウンリンク送信電力を低下させる指示を含むCFGを生成すればよい。これとは逆に、MNBセル１２からHNBセル１１への干渉が大き過ぎる場合には、HNB２のダウンリンク送信電力の増加を許容する指示を含むCFGを生成すればよい。
【００４０】
ステップＳ１０７では、RNC２５２は、測定対象とされたHNB２に対してコンフィグレーション情報（CFG）を送信する。一例として、コンフィグレーション情報（CFG）は、コアネットワーク１５０、HNB-GW１５１、IPネットワーク１５３、及びIPネットワーク１５３とHNB２との間のアクセス回線を経由して、HNB２に送信されてもよい。また、コンフィグレーション情報（CFG）は、MNB６からダウンリンク無線チャネルによってMNBセル１２内に報知されてもよい。また、コンフィグレーション情報（CFG）の送信のために、これら２つの送信経路を併用してもよい。
【００４１】
最後に、ステップＳ１０８では、HNB２は、RNC２５２から到達したコンフィグレーション情報（CFG）に従って自身のHNBセル１１を調整する。
【００４２】
続いて以下では、図７〜９を参照して、HNB２、RNC２５２、及びMUE８の構成例について順に説明する。図７は、HNB２の構成の一例を示すブロック図である。図７において、無線通信部１０１は、送信データ処理部１０２から供給される送信シンボル列の直交変調、周波数変換、信号増幅等の各処理を行ってダウンリンク信号を生成し、これを移動局に送信する。また、無線通信部１０１は、移動局から送信されたアップリンク信号を受信する。
【００４３】
送信データ処理部１０２は、移動局に向けて送信される送信データを通信部１０４から取得し、誤り訂正符号化、レートマッチング、インタリービング等を行なってトランスポートチャネルを生成する。さらに、送信データ処理部１０２は、トランスポートチャネルのデータ系列にTPC（Transmit Power Control）ビット等の制御情報を付加して無線フレームを生成する。また、送信データ処理部１０２は、拡散処理、シンボルマッピングを行って送信シンボル列を生成する。
【００４４】
また、送信データ処理部１０２は、コアネットワーク１５０からコンフィグレーション情報（CFG）を受信した場合、これをコンフィグレーション制御部１０５に転送する。
【００４５】
受信データ処理部１０３は、無線通信部１０１により受信されたアップリンク信号の逆拡散、ＲＡＫＥ合成、デインタリービング、チャネル復号、エラー訂正等の各処理を行って受信データを復元する。得られた受信データは、通信部１０４を経由してHNB-GW１５１およびコアネットワーク１５０に転送される。
【００４６】
なお、無線通信部１０１は、MNB７等の周辺基地局からのダウンリンク信号を受信する機能（Network Listen Mode）を有していてもよい。この場合、無線通信部１０１は、MNB７から送信されるダウンリンク信号の受信、受信品質の測定を行う。また、受信データ処理部１０３は、無線通信部１０１の動作モードが周辺基地局からのダウンリンク信号を受信するモード（Network Listen Mode）である場合、セルコンフィグレーション情報（CFG）を受信データから取得してもよい。
【００４７】
コンフィグレーション制御部１０５は、HNBセル情報を生成し、受信データ処理部１０３及び通信部１０４を介してHNBセル情報をコアネットワーク１５０に送信する。また、コンフィグレーション制御部１０５は、送信データ処理部１０２又は受信データ処理部１０３によって受信されたコンフィグレーション情報（CFG）に従って、HNBセル１１の無線パラメータを調整する。
【００４８】
図８は、RNC２５２の構成例を示すブロック図である。通信部２５２１は、MNB６との間でユーザデータ及び制御データを送受信する。送信データ処理部２５２２は、MUE８およびMNB６に向けて送信される送信データを通信部２５２４から取得する。また、送信データ処理部２５２２は、コンフィグレーション制御部２５２５からコンフィグレーション情報（CFG）を受け取った場合、通信部２５２１およびMNB６を経由して、コンフィグレーション情報（CFG）をMNBセル１２内に報知する。
【００４９】
受信データ処理部２５２３は、通信部２５２１から受信したデータを、通信部２５２４を経由してコアネットワーク１５０に転送する。また、受信データ処理部２５２３は、コンフィグレーション制御部２５２５からコンフィグレーション情報（CFG）を受け取った場合、通信部２５２４及びコアネットワーク１５０を経由して、これを宛先のHNB２へ送信する。
【００５０】
コンフィグレーション制御部２５２５は、HNB２からHNBセル情報を受信し、当該情報に基づいて送信元のHNB２をMUE８による測定対象とするか否かを決定する。コンフィグレーション制御部２５２５は、測定対象に選んだHNBセル１１（又はHNB２）の指定を含むHNBセル測定要求を、送信データ処理部２５２２及び通信部２５２１を経由してMUE８に送信する。コンフィグレーション制御部２５２５は、MUE８から受け取ったHNBセル測定報告に基づいて、測定対象とされたHNB２に送信するコンフィグレーション情報（CFG）を生成する。また、コンフィグレーション制御部２５２５は、生成したコンフィグレーション情報（CFG）を、MUE８による測定対象とされたHNB２に対して送信する。
【００５１】
図９は、本実施の形態のMUE８の構成例を示すブロック図である。なお、図９は、周辺のHNBセルの測定に関連する部分を図示しており、その他の構成部分は省略されている。図９において、無線通信部８０１は、MNB６との間で無線通信を行う。
【００５２】
受信処理部８０２は、MNB６からのデータを受信し、受信データがHNBセル測定要求である場合はこれを測定制御部８０４に転送する。また、受信処理部８０２は、測定制御部８０４からの測定指示に応じて指定されたMNBセル１１の測定を行い、測定結果を測定制御部８０４に報告する。
【００５３】
測定制御部８０４は、HNBセル測定要求を受信した場合、指定されたMNBセル１１の測定を受信処理部８０２に指示する。また、測定制御部８０４は、ホームセル１１の測定結果を受信処理部８０２から受け取り、これをRNC５５２へ送信するように送信データ制御部８０３に指示する。
【００５４】
送信データ制御部８０３は、測定制御部８０４からの指示に従って、上りデータ送信の開始または停止を実行する。送信処理部８０５は、アップリンク信号を生成し、無線通信部８０１を経由してMNB６に送信する。
【００５５】
続いて以下では、HNB２、RNC２５２、及びMUE８の各々の動作をフローチャートに従って説明する。図１０は、HNB２の動作の具体例を示すフローチャートである。ステップＳ２０１では、HNB２は、自身が生成するＨＮＢセル１１に関するHNBセル情報を生成する。ステップＳ２０２では、HNB２は、生成したHNBセル情報を上位ネットワーク（IPネットワーク１５３、HNB-GW１５２、コアネットワーク１５０）に送信する。ステップＳ２０３では、HNB２は、RNC２５２からコンフィグレーション情報（CFG）を受信したかを判定する。CFGを受信した場合（ステップＳ２０３でＹＥＳ）、HNB２は、受信したCFGに従って自身のHNBセル１１の無線パラメータを調整する（ステップＳ２０４）。
【００５６】
図１１は、RNC２５２の動作の具体例を示すフローチャートである。ステップＳ３０１では、RNC２５２は、HNB２からHNBセル情報を受信したかを判定する。HNBセル情報を受信した場合（ステップＳ３０１でＹＥＳ）、RNC２５２は、受信したHNBセル情報に基づいて測定対象HNBの選択を行う（ステップＳ３０２）。ステップＳ３０３では、測定対象に選ばれたHNBセル１１（又はHNB２）の指定を含むHNBセル測定要求をMUE８に送信する。ステップＳ３０４では、MUE８からHNBセル測定報告を受信したかを判定する。HNBセル測定報告を受信した場合（ステップＳ３０４でＹＥＳ）、MUE８から受信した測定報告に基づいて、測定対象HNBセル１１に関するコンフィグレーション情報（CFG）を生成する（ステップＳ３０５）。最後に、ステップＳ３０６では、生成したCFGを測定対象とされたHNB２に送信する。
【００５７】
図１２は、MUE８の動作の具体例を示すフローチャートである。ステップＳ４０１では、RNC２５２からのHNBセル測定要求をMNB６を経由して受信したかを判定する。HNBセル測定要求を受信した場合（ステップＳ４０１でＹＥＳ）、MUE８は、測定要求にて指定されたHNBセル１１から到達するダウンリンク信号を測定する。ステップＳ４０３では、HNBセル測定結果をMNB６経由でRNC２５２に送信する。
【００５８】
以上に述べたように、本実施の形態では、HNB２からRNC２５２（制御装置５）に送信される「HNBセル情報」を参照することで、RNC２５２は、無線パラメータ設定が適切でないことが疑われるHNBセル１１（又はHNB２）を判定できる。これにより、MUE８による測定対象とするセルを絞り込むことができる。
【００５９】
＜第３の実施の形態＞
本実施の形態にかかる移動通信システムの構成例を図１３に示す。本実施の形態では、ホーム基地局（HNB）３は、自身が測定したマクロセル（MNBセル）１２の測定情報を含む「MNBセル測定情報」をRNC３５２に送信する、また、RNC３５２は、上述した制御装置５の動作を実行する。以下では、図１４を参照して、本実施の形態の動作を説明する。
【００６０】
図１４は、本実施の形態におけるHNB３へのコンフィグレーション情報の供給手順を示すシーケンス図である。ステップＳ５００では、HNB３は、周辺のMNBセル１２の測定を行う。ステップＳ５０１では、HNB３は、MNBセル１２の測定結果を含む「MNBセル測定情報」をRNC３５２に送信する。MNBセル測定情報に含まれる無線パラメータの具体例は、MNBセル１２からのダウンリンク信号の受信電力、MNBセル１２からのダウンリンク信号の受信可否などである。これらは、MUE８からHNBセル１１への干渉の評価と、HNBセル１１からMUE８への干渉の評価に使用できる。
【００６１】
ステップＳ５０２では、RNC３５２は、HNB３から受信したMNBセル測定情報に基づいて、MUE８による測定対象とすべきHNBセル１１（HNB３）を決定する。例えば、MNBセル測定情報が「MNBセル１２からのダウンリンク信号の受信電力」を含む場合、受信電力が所定の基準値を超えている場合に当該HNBセル１１を測定対象とすればよい。この場合には、MNBセル１２からHNBセル１１に対して許容範囲を超える干渉が生じているおそれがあるためである。
また、MNBセル測定情報が「MNBセル１２からのダウンリンク信号の受信可否」を含む場合、MNBセル１２からのダウンリンク信号を受信できない場合に当該HNBセル１１を測定対象とすればよい。ダウンリンク信号を受信できない場合とは、パイロット信号（CPICH）の受信レベルが閾値以下である場合、又はSIB（System Information Block）を受信できない場合などである。これらの場合には、HNBセル１１から周辺セル（MNBセル１２を含む）に対して許容範囲を超える干渉が生じているおそれがあるためである。
【００６２】
図１４のステップＳ１０３〜Ｓ１０８は、図６に示したステップＳ１０３〜Ｓ１０８と同様である。
【００６３】
続いて以下では、HNB３及びRNC３５２の動作をフローチャートに従って説明する。なお、本実施の形態MUE８によるMNBセル１１の測定動作は、上述した第２の実施の形態と同様であるから重複説明を省略する。
【００６４】
図１５は、HNB３の動作の具体例を示すフローチャートである。ステップＳ６００では、HNB３は、MNBセル１２の測定を行う。ステップＳ６０１では、HNB３は、ステップＳ６００での測定結果を含むMNBセル測定情報を生成する。ステップＳ６０２では、HNB３は、生成したMNBセル測定情報を上位ネットワーク（IPネットワーク１５３、HNB-GW１５２、コアネットワーク１５０）に送信する。図１５のステップＳ２０３及びＳ２０４で行われる動作は、図１０に示したステップＳ２０３及びＳ２０４と同様である。
【００６５】
次に、図１６は、RNC３５２の動作の具体例を示すフローチャートである。ステップＳ７０１では、RNC３５２は、HNB３からMNBセル測定情報を受信したかを判定する。ステップＳ７０２では、RNC３５２は、受信したMNBセル測定情報に基づいて測定対象HNBの選択を行う。図１６のステップＳ３０３〜Ｓ３０６は、図１１に示したステップＳ３０３〜Ｓ３０６と同様である。
【００６６】
以上に述べたように、本実施の形態では、HNB３からRNC３５２（制御装置５）に送信される「MNBセル測定情報」を参照することで、RNC３５２は、無線パラメータ設定が適切でないことが疑われるHNBセル１１（又はHNB３）を判定できる。これにより、MUE８による測定対象とするセルを絞り込むことができる。
【００６７】
＜第４の実施の形態＞
本実施の形態では、上述した第２及び第３の実施の形態の組み合わせについて説明する。つまり、本実施の形態では、ホーム基地局（HNB）４は、「HNBセル情報」および「MNBセル測定情報」をともにRNC４５２に送信する、RNC４５２は、「HNBセル情報」および「MNBセル測定情報」の双方を考慮して、測定対象HNBを判定する。以下では、図１７を参照して、本実施の形態の動作を説明する。
【００６８】
図１７は、本実施の形態におけるHNB４へのコンフィグレーション情報の供給手順を示すシーケンス図である。ステップＳ８００では、HNB４は、MNB６によって形成されるMNBセル１２の測定を行う。ステップＳ８０１では、HNB４は、自身が形成すHNBセル１１に関する「HNBセル情報」と、MNBセル１２の測定結果を含む「MNBセル測定情報」とをRNC４５２に送信する。
【００６９】
ステップＳ８０２では、RNC４５２は、HNB４から受信したHNBセル情報およびMNBセル測定情報に基づいて、MUE８による測定対象とすべきHNBセル１１（HNB４）を決定する。図１７のステップＳ１０３〜Ｓ１０８は、図６に示したステップＳ１０３〜Ｓ１０８と同様である。
【００７０】
なお、ステップＳ８０２において、RNC４５２は、HNBセル情報に基づく測定対象セルの判定結果とMNBセル測定情報に基づく測定対象HNBセルの判定結果とを用いて、最終的な測定対象HNBセルを判定すればよい。なお、HNBセル情報に基づく測定対象セルの判定手順は、第２の実施の形態において図６のステップＳ１０２に関して述べた通りである。また、MNBセル測定情報に基づく測定対象HNBセルの判定手順は、第３の実施の形態において図１４のステップＳ５０２に関して述べた通りである。
【００７１】
１つの例では、RNC４５２は、HNBセル情報に基づく測定対象セルの判定結果とMNBセル測定情報に基づく測定対象HNBセルの判定結果にともに含まれるHNBセル１１を測定対象とすればよい。これにより、測定多少セルの絞り込みが可能となるため、MUE８の測定負荷をさらに軽減することができる。
【００７２】
また、他の例では、RNC４５２は、HNBセル情報に基づく測定対象セルの判定結果とMNBセル測定情報に基づく測定対象HNBセルの判定結果のうち少なく一方に含まれるHNBセル１１を全て測定対象とすればよい。これにより、無線パラメータ調整が適切でない疑いのあるHNBセル１１を網羅的に調査することができ、セル間干渉を抑制してシステム全体の通信品質の向上に寄与できる。
【００７３】
＜その他の実施の形態＞
第２〜第４の実施の形態では、UMTSの場合について具体的に説明した。しかしながら、これらの実施の形態で説明した測定対象ホームセルの選択手法と、ホーム基地局へのコンフィグレーション情報の供給手法は、EPSなど他のシステムにも当然に適用可能である。
【００７４】
上述した第１〜第４の実施の形態で述べた各装置（制御装置５、管理サーバ１５４、ホーム基地局１〜４、移動局８、並びにRNC１５２、２５２、３５２及びび４５２）で行われる処理は、ＡＳＩＣ（Application Specific Integrated Circuit）、ＤＳＰ（Digital Signal Processor）、ＭＰＵ（Micro Processing Unit）若しくはＣＰＵ（Central Processing Unit）又はこれらの組み合わせを含むコンピュータ・システムを用いて実現することができる。具体的には、シーケンス図又はフローチャートを用いて説明した各装置の処理手順に関する命令群を含むプログラムをコンピュータ・システムに実行させればよい。
【００７５】
これらのプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００７６】
さらに、本発明は上述した実施の形態のみに限定されるものではなく、既に述べた本発明の要旨を逸脱しない範囲において種々の変更が可能であることは勿論である。
【００７７】
この出願は、２００９年１０月１日に出願された日本出願特願２００９−２２９４７２を基礎とする優先権を主張し、その開示の全てをここに取り込む。
【符号の説明】
【００７８】
１  ホーム基地局
２〜４  ホーム基地局（HNB）
５  制御装置
６  マクロ基地局（M(e)NB）
８  マクロ移動局（MUE）
１１  ホームセル
１２  マクロセル
１５０  コアネットワーク
１５１  H(e)NBゲートウェイ（H(e)NB-GW）
１５２、２５２、３５３、４５２  RNC
１５３  ＩＰネットワーク
１５４  管理サーバ
【図１】
0006036941.tif 000002
【図２】
0006036941.tif 000003
【図３】
0006036941.tif 000004
【図４】
0006036941.tif 000005
【図５】
0006036941.tif 000006
【図６】
0006036941.tif 000007
【図７】
0006036941.tif 000008
【図８】
0006036941.tif 000009
【図９】
0006036941.tif 000010
【図１０】
0006036941.tif 000011
【図１１】
0006036941.tif 000012
【図１２】
0006036941.tif 000013
【図１３】
0006036941.tif 000014
【図１４】
0006036941.tif 000015
【図１５】
0006036941.tif 000016
【図１６】
0006036941.tif 000017
【図１７】
0006036941.tif 000018
【図１８】
0006036941.tif 000019